(57)【要約】【課題】乗員が車両から離れる際に、サイドブレーキをかけるなどの事故防止手段をとり忘れぬよう注意を促すことにより、事故の発生を防止可能な車載用音声警告装置を提供すること。【解決手段】車載用音声警告装置１は、音声を出力する音声出力部（スピーカ７）と、警告内容が音声データとして記憶される記憶部（メモリカード１７）と、該記憶部に記憶されている前記音声データを読み出して、該音声データに基づいて音声を前記音声出力部に出力させる制御部１５とを備え、車両のドアの開放時に作動し、車両のドアの閉鎖時に非作動とされるドアスイッチ２１に接続されて、該ドアスイッチが作動したとき車両用バッテリー２０から電力が供給され前記音声出力部から音声が出力されるよう構成される。【選択図】図６
0003156086.tif 000002
【実用新案登録請求の範囲】
【請求項１】
音声を出力する音声出力部と、
警告内容が音声データとして記憶される記憶部と、
該記憶部に記憶されている前記音声データを読み出して、該音声データに基づいて音声を前記音声出力部に出力させる制御部とを備え、
車両のドアの開放時に作動し、車両のドアの閉鎖時に非作動とされるドアスイッチに接続されて、該ドアスイッチが作動したとき車両用バッテリーから電力が供給され前記音声出力部から音声が出力されるよう構成されることを特徴とする車載用音声警告装置。
【請求項２】
前記記憶部には、内容の異なる複数の音声データが記憶され、
前記複数の音声データのうち前記制御部により読み出される一つの音声データを選択する切替操作部を有していることを特徴とする請求項１に記載の車載用音声警告装置。
【請求項３】
前記記憶部は、着脱可能な記憶媒体とされていることを特徴とする請求項１又は２に記載の車載用音声警告装置。
【考案の詳細な説明】
【技術分野】
【０００１】
本考案は、車両に積み載せて使用し、乗員に対して音声によって警告等を行う車載用音声警告装置に関する。
【背景技術】
【０００２】
道路工事などにおいて工事車両を道路わきに停める際には、駐車した車両が無人の状態で動き出すことによって事故が発生しないように、タイヤ切り(通行車線と反対側へタイヤを切っておくこと)を行う、サイドブレーキをかける、輪留め（タイヤストッパー）を設置するなどの事故防止手段が採られている。
【考案の概要】
【考案が解決しようとする課題】
【０００３】
しかしながら、それら事故防止手段の徹底を指導していても事故防止手段を採り忘れてしまうことがあり、そのために無人の状態の車両が動き出して事故が発生してしまうことがあった。そして、このような事故防止手段の取り忘れを防ぐには人の注意力では限界があり、事故防止手段をとり忘れぬよう乗員に対して注意を促すシステムの開発が希望されていた。
【０００４】
そこで、本考案は、上記事情に鑑み、乗員が車両から離れる際に事故防止手段をとり忘れぬよう注意を促すことにより、事故の発生を防止可能な車載用音声警告装置を提供することを目的とする。
【課題を解決するための手段】
【０００５】
本考案の車載用音声警告装置は、音声を出力する音声出力部と、警告内容が音声データとして記憶される記憶部と、該記憶部に記憶されている前記音声データを読み出して、該音声データに基づいて音声を前記音声出力部に出力させる制御部とを備え、車両のドアの開放時に作動し、車両のドアの閉鎖時に非作動とされるドアスイッチに接続されて、該ドアスイッチが作動したとき車両用バッテリーから電力が供給され前記音声出力部から音声が出力されるよう構成されることを特徴とする。
【０００６】
本考案の車載用音声警告装置によれば、車両のドアを開けることによりドアスイッチが作動され、車両用バッテリーから電力が供給されると、制御部は記憶部から音声データを読み出して音声出力部に音声を出力させる。したがって、本考案の車載用音声警告装置を取り付けた車両では、車両への乗り降りの際に必ず音声データに基づいた警告内容の音声が出力される。
【０００７】
よって、例えば駐車時に注意すべき事項を音声データとして記憶させておけば、乗員に対して所定の事故防止手段をとり忘れることが無いよう注意を促すことができ、事故防止手段を取り忘れたことに起因する事故の発生を防止することができる。
【０００８】
また、本考案の車載用音声警告装置は、前記記憶部には、内容の異なる複数の音声データが記憶され、前記複数の音声データのうち前記制御部により読み出される一つの音声データを選択する切替操作部を有する構成とすることができる。
【０００９】
このような構成とすれば、切換操作部を操作することにより、記憶部に記憶されている複数の音声データの中から任意の内容の音声データを選ぶことができる。したがって、切換操作部を操作するだけで出力する音声の内容を容易に変更することができる。
【００１０】
また、本考案の車載用音声警告装置では、前記記憶部は、着脱可能な記憶媒体とされている構成とすることができる。
【００１１】
このような構成とすれば、記憶媒体を装置から取り外して、異なる警告内容の音声データが記憶されている記憶媒体を取り付けたり、取り外した記録媒体に記憶されている音声データを書き換えたりすることによって、乗員への警告内容を自由に変更することができる。
【図面の簡単な説明】
【００１２】
【図１】本考案の一実施形態の車載用音声警告装置の平面図である。
【図２】同車載用音声警告装置の正面図である。
【図３】同車載用音声警告装置の背面図である。
【図４】同車載用音声警告装置の左側面図である。
【図５】同車載用音声警告装置の底面図である。
【図６】同車載用音声警告装置の構成を示すブロック図である。
【図７】同車載用音声警告装置が備える記憶部（メモリカード）の記憶領域を示す図である。
【図８】同車載用音声警告装置が備える記憶部（メモリカード）の内容を書き換えるエディタソフトの一画面を示す図である
【図９】同車載用音声警告装置を車両に取り付けた状態を示す斜視図である。
【図１０】本考案の変更例に係る記憶部（メモリカード）の記憶領域を示す図である。
【考案を実施するための形態】
【００１３】
１．実施形態
本考案の一実施形態に係る車載用音声警告装置（以下単に「音声警告装置」という。）について、図面に基づいて説明する。図１，２，３，４に示すように、実施形態の音声警告装置１は、略直方体形状とされ、箱状のハウジング本体部２に対して、ハウジング蓋部３を上方から被せてねじ止めして構成されている。ハウジング蓋部３は、車両への取付用のフランジ部４を左右に備えている。フランジ部４にはねじ止めの際に利用する切欠部５が前後に形成されている。
【００１４】
音声警告装置１は、上面に、音声データに基づき音声（実施形態では合成音声）を出力するスピーカ７（音声出力部に相当する）を備える。また、音声警告装置１は、正面に、再生する音声データを選択する音声選択用スイッチ８（切換操作部に相当する）を備える。音声選択用スイッチ８は、図２に示すように、１〜４およびＯＦＦのチャンネルを備え、回動させることにより各チャネルを切り替え可能である。音声選択用スイッチ８が１〜４のいずれかのチャンネルにあるとき、音声警告装置１は選択されたチャンネルに応じた音声データに基づき音声を出力可能なＯＮ状態となる。また、音声選択用スイッチ８がＯＦＦのチャンネルにあるとき、音声警告装置１はいずれの音声も出力しないＯＦＦ状態となる。
【００１５】
また図１，３，４に示すように、音声警告装置１は、背面側に電源部９を備える。電源部９は、電源用端子１０ａ，１０ｂを備え、後述するように、プラス側の電源用端子１０ａは車両用バッテリー２０（以下単に「バッテリー」という。）に接続され、マイナス側の電源用端子１０ｂはドアスイッチ２１の一端に接続される（図６参照）。なお、電源部９は、直流１０Ｖから３２Ｖまでの電源電圧に対応可能に構成されている。従って、音声警告装置１は、一般的に車両に使用される直流１２Ｖまたは２４Ｖの電源電圧を使用することができる。
【００１６】
図５に示すように、音声警告装置１は、底面側に音量調節用ボリューム（可変抵抗器）１１を備える。音量調節用ボリューム１１は、音声警告装置１の底面に形成された孔部１３から回転調整ねじ１２を露出させている。音声警告装置１では、この回転調整ねじ１２をマイナスドライバーなどの工具を用いて回転させることにより、スピーカ７から出力される音声の音量を調整することができる。
【００１７】
また、音声警告装置１の内部には、ＣＰＵ、ＲＡＭ、動作プログラムが書き込まれたＲＯＭ等を備え、音声警告装置１の動作を制御する制御基板（制御部１５（図６参照）に相当する）が収納されている。制御基板には、メモリカード用のコネクタ１６が実装されている。メモリカード用コネクタ１６には、所定の警告内容の音声データが記録されたメモリカード１７（記憶部に相当する）が接続されている。なお、実施形態の音声警告装置１は、メモリカード１７として、ＳＤメモリカード（商標または登録商標）を用いる構成とされている。メモリカード１７は、公知のイジェクト機構を有するメモリカード用コネクタ１６に対して着脱可能となっている。なお、図６に示すように、制御基板（制御部１５）には、上述したスピーカ７、音声選択用スイッチ８および電源部９が接続される。
【００１８】
図７に示すように、メモリカード１７は、音声選択用スイッチ８のチャンネル１からチャンネル４に対応した記憶領域１〜４を備えている。各記憶領域１〜４には、出力する音声をＭＰ３ファイルに圧縮した音声データが記憶される。また、各記憶領域１〜４には、音声データごとに、ファイル名、音声データを繰り返し再生する際のリピート回数、音声データを再生する際の音量、低音域のレベル、高音域のレベルなどの各種設定データが記憶される。
【００１９】
実施形態では、記憶領域１には、「ＭＥＲＯＤＹ１．ＭＰ３」と名付けられたＭＰ３ファイルが記憶され、記憶領域２には、「ＭＥＲＯＤＹ２．ＭＰ３」と名付けられたＭＰ３ファイルが記憶され、記憶領域３および記憶領域４には、何らの音声データも記憶されていない。「ＭＥＲＯＤＹ１．ＭＰ３」というファイルは、再生すると「ピンポン、車から離れる時は、タイヤ切り、サイドブレーキ、輪留めを行ってください。」という音声が出力されるファイルである。「ＭＥＲＯＤＹ２．ＭＰ３」というファイルは、再生すると「ピンポン、車から離れる時は、タイヤ切り、サイドブレーキ、輪留めを確認してください。」という音声が出力されるファイルである。これらのファイルはそれぞれリピート回数を無限に設定されている。
【００２０】
なお、このメモリカード１７に記憶された内容は、専用のエディタソフトをインストールしたコンピュータを用いて書き換え可能とされている。図８は、メモリカード１７の記憶内容を書き換えるためのエディタソフトの一画面である。図８(ａ)に示す画面では、チャンネルごとに現在記憶されている音声データのファイル名が表示される。この画面では、書き換えたい音声ファイルを選択して、異なる音声ファイルを新たに書き込むことができる。また、図８(ｂ)に示す画面では、現在書き込まれている音声ファイルについて、リピート回数を有限に変更するなど、各種の設定を変更することができる。
【００２１】
次に、図６，９に基づいて音声警告装置１の車両への搭載について説明する。図６に示すように、音声警告装置１は、プラス側の電源用端子１０ａをバッテリー２０のプラス側の端子に接続し、マイナス側の電源用端子１０ｂをドアスイッチ２１の一端（後述するルームライト２２が接続されている側）に接続することにより、車両に対して電気的に接続される。なお、バッテリー２０のマイナス側の端子はＧＮＤ（車両のボディ）に接続されている。
【００２２】
ドアスイッチ２１は、車両のドアの開閉を検知するスイッチであり、車両のドアが開いたときにＯＮされ（通電状態となり）、閉じたときにＯＦＦされる（非通電状態となる）。ドアスイッチ２１は、一端をルームライト２２および音声警告装置１に接続され、他端をＧＮＤに接続されている。ルームライト２２は、一端をバッテリー２０のプラス側の端子に接続され、他端をドアスイッチ２１の一端に接続されている。これにより、ルームライト２２は、車両のドアが開いてドアスイッチ２１がＯＮされると、バッテリー２０から電力が供給されて点灯するようになっている。
【００２３】
音声警告装置１は、車両に対して電気的に接続された後、図９に示すように、車両における助手席側のインストルメントパネル２３の下部に、ねじ２４止めによって取付固定される。なお、音声警告装置１は、上下方向の高さ寸法が約５ｃｍ、左右方向の幅寸法が約８ｃｍ、前後方向の長さ寸法が約８ｃｍの小型の装置として構成されているため、車両に対する取り付け位置は、乗員の邪魔にならない任意の箇所に自由に取り付けることができる。
【００２４】
次に、音声警告装置１の動作について説明する。音声警告装置１は図６に示すように車両に接続されているため、車両のドアが開いてドアスイッチ２１がＯＮされると、音声警告装置１にバッテリー２０から電力が供給される。バッテリー２０から電力が供給されると、音声警告装置１の制御部１５は、音声選択用スイッチ８からの信号に従って、音声選択用スイッチ８によって選択されているチャンネルに対応する記憶領域から、音声データおよび設定データを読み出す。いま音声選択用スイッチ８は、図２に示すようにチャンネル１に設定されている。したがって、メモリカード１７の記憶領域１に記憶されている音声データ「ＭＥＲＯＤＹ１．ＭＰ３」（図７参照）が読み出される。
【００２５】
そして、制御部１５は、読み出したデータに従って、スピーカ７から音声を出力する。すなわち、読み出した「ＭＥＲＯＤＹ１．ＭＰ３」が設定されているリピート回数で再生されるため、「ピンポン、車から離れる時は、タイヤ切り、サイドブレーキ、車止めを行ってください。」という音声が、車両のドアを閉めるまで繰り返し出力される。これにより、車両のドアを開けた乗員に対して、所定の事故防止手段をとり忘れぬよう注意喚起される。
【００２６】
異なる音声を出力したい場合には、音声選択用スイッチ８を切り替える。音声選択用スイッチ８をチャンネル２に切り替えた場合、車両のドアを開けると、制御部１５は、チャンネル２に対応した記憶領域２に記憶されている音声データ「ＭＥＲＯＤＹ２．ＭＰ３」を読み出し、この音声データに基づいて音声を出力する。そのため、スピーカ７からは「ピンポン、車から離れる時は、タイヤ切り、サイドブレーキ、車止めを確認してください。」というチャンネル１とは異なる音声が出力される。
【００２７】
なお、音声警告装置１では、ハウジング蓋部３をハウジング本体部２から外して、装着されているメモリカード１７を異なる音声データが記憶されているメモリカードに取り替えたり、装着されているメモリカード１７の記憶内容を所定のエディタソフトにより書き換えたりすることによっても、出力する音声を変更することができる。
【００２８】
以上説明したように、実施形態の車載用音声警告装置１は、音声を出力するスピーカ７と、警告内容が音声データとして記憶されるメモリカード１７と、メモリカード１７に記憶されている音声データを読み出して、この音声データに基づいて音声をスピーカ７に出力させる制御部１５とを備えている。そして、車載用音声警告装置１は、車両のドアの開放時に作動し、車両のドアの閉鎖時に非作動とされるドアスイッチ２１に接続されて、ドアスイッチ２１が作動したとき車両用バッテリー２０から電力が供給されスピーカ７から音声が出力されるよう構成されている。
【００２９】
そのため、車両のドアを開けてドアスイッチ２１が作動され、車両用バッテリー２０から電力が供給されると、制御部１５はメモリカード１７から音声データを読み出してスピーカ７に音声を出力させる。したがって、実施形態の車載用音声警告装置１を取り付けた車両では、車両への乗り降りの際に必ず音声データに基づいた警告内容の音声が出力される。
【００３０】
そして実施形態の音声警告装置１では、駐車時に注意すべき事項を音声データとして記憶させているので、乗員に対して所定の事故防止手段をとり忘れることが無いよう注意を促すことができ、事故防止手段を取り忘れたことに起因する事故の発生を防止することができる。
【００３１】
また、実施形態の音声警告装置１は、ドアスイッチ２１に接続されドアスイッチ２１の作動により必ず動作する簡易な構成であるため、全国の自動車整備工場で簡単に取り付けることが可能であり、また、車配線の好きな者であれば自ら簡単に取り付けることができる。
【００３２】
また、実施形態の車載用音声警告装置１は、記憶部１７に内容の異なる複数の音声データが記憶され、複数の音声データのうち制御部１５により読み出される一つの音声データを選択する音声選択用スイッチ８を有している。
【００３３】
そのため、音声選択用スイッチ８を操作することにより、記憶部１５に記憶されている複数の音声データの中から任意の内容の音声データを選ぶことができる。したがって、音声選択用スイッチ８を操作するだけで出力する音声の内容を容易に変更することができる。
【００３４】
また、実施形態の車載用音声警告装置１では、記憶部１７は、着脱可能な記憶媒体（メモリカード１７）とされている。
【００３５】
そのため、メモリカード１７を装置１から取り外して、異なる警告内容の音声データが記憶されているメモリカードを取り付けたり、取り外したメモリカード１７に記憶されている音声データを書き換えたりすることによって、乗員への警告内容を自由に変更することができる。なお、着脱可能な記憶媒体には、ＳＤメモリカード（商標または登録商標）１７のほか、コンパクトフラッシュ（商標または登録商標）などの他の種類のメモリカードやＵＳＢメモリなど、公知の記録媒体を用いることができる。
【００３６】
２．変更例
以下、変更例について説明する。なお、変更例の説明において、実施形態の音声警告装置１と同様の構成については、実施形態の音声警告装置１と同様の符号を付して説明を省略する。
【００３７】
実施形態の音声警告装置１では、メモリカード１７の一つのチャネルに対応する記憶領域には一つの音声データファイルが格納される構成としたが、図１０に示すように、メモリカードのチャネル１に複数の設定枠を設けて各設定枠にそれぞれ異なる音声データファイルを格納できるよう構成してもよい。この場合、記憶された音声データは、設定枠順に再生されるようにしてもよく、設定枠ごとに再生する順番を決められるようにしてもよい。また、一つの設定枠の音声データが再生された後、次の設定枠の音声データが再生されるまでの時間（インターバル秒数という）を設定できるよう構成してもよい。このように構成すれば、一度のドアの開放動作で、複数の内容の音声を出力させることができる。
【００３８】
また、実施形態の音声警告装置１は、音声のみを出力する装置として構成したが、音声警告装置１にディスプレイを設けるとともに、ＳＤカード１７に文字データを格納したテキスファイルをＭＰ３ファイルと併せて記憶させ、車両のドアを開けたときにスピーカ７から音声が出力されるとともにディスプレイに文字が表示されるよう構成してもよい。このように構成すれば、周囲の音がうるさくてスピーカ７からの音声が聞き取れない場合であっても、ディスプレイにより警告内容を確認することができる。
【００３９】
また、実施形態の音声警告装置１では、記憶部は、着脱可能な記憶媒体（メモリカード１７）を用いて構成したが、基板に実装して使用する着脱式でないメモリを用いて構成してもよい。
【００４０】
また、実施形態の音声警告装置１では、切換操作部は、装置１に取り付け、回動操作することにより音声データを切換可能な音声選択用スイッチ８を用いて構成したが、リモコンと、リモコンからの信号を受ける受光部とを用いて、遠隔操作により音声データを切り替えるよう構成してもよい。
【００４１】
また、実施形態の音声警告装置１では、ドアスイッチ２１が作動することにより車両用バッテリー２０を含む回路が形成され、音声警告装置１が動作する構成としたが、予め車両用バッテリー２０を含む回路を形成しておき、ドアスイッチ２１のＯＮ／ＯＦＦの検出信号に基づいて音声警告装置１が動作するよう構成してもよい。
【符号の説明】
【００４２】
１…車載用音声警告装置
７…スピーカ（音声出力部）
８…音声選択用スイッチ（切替操作部）
１５…制御部
１７…メモリカード（記憶部、記憶媒体）
２０…車両用バッテリー
２１…ドアスイッチ
【図１】
0003156086.tif 000003
【図２】
0003156086.tif 000004
【図３】
0003156086.tif 000005
【図４】
0003156086.tif 000006
【図５】
0003156086.tif 000007
【図６】
0003156086.tif 000008
【図７】
0003156086.tif 000009
【図８】
0003156086.tif 000010
【図９】
0003156086.tif 000011
【図１０】
0003156086.tif 000012